(57)【要約】【課題】簡易な構成で支持部材を引出位置に規制でき、かつ、ロックの解除操作が容易な画像形成装置を提供する。【解決手段】支持ケース１００は、本体筐体２内の収納位置から引き出したとき、引出位置において左フレーム２１０に設けられたストッパ部材２４３に当接する。引出位置から支持ケース１００をさらに引こうとすると、支持ケース１００の左側ではロック部材２３０により上昇することが規制されストッパ部材２４３を越えることができない。さらに支持ケース１００はストッパ部材２４３との当接部を中心として回動し、右側の当接部１２１を右フレーム２２０の被当接部２２１に当接し、抜け出ることができない。支持ケース１００をフレームと平行にして、ロック部材２３０を解除位置に操作することで、支持ケース１００はストッパ部材２４３を越えて外部へ取り出すことができる。【選択図】図７
2010277073.tif 000002
【特許請求の範囲】
【請求項１】
装置本体と、
前記装置本体内に収容された収容位置と前記装置本体から引き出された引出位置との間
で移動可能、かつ、引出位置からさらに引き出すことで前記装置本体から取り外し可能に
構成され、引き出し方向に沿うように延びて互いに対向する第１側壁および第２側壁を有
する枠状の支持部材と、
前記装置本体内で収容位置にある前記支持部材を挟むように互いに対向して配置され、
前記支持部材を収納位置と引出位置との間で移動可能に支持する、前記第１側壁と対向す
る第１フレームおよび前記第２側壁と対向する第２フレームと、
前記支持部材の前記第１側壁側を引出位置に規制してロックするロック位置とロックを
解除して前記支持部材を取り外し可能とする解除位置との間で移動可能なロック部材と、
前記第２側壁および前記第２フレームに設けられ、引出位置にロックされた前記支持部
材が前記第１フレーム側に回動しようとするときに互いに当接して回動を規制する規制部
とを備えたことを特徴とする画像形成装置。
【請求項２】
前記第１フレームは、前記支持部材を引出位置に引き出したときに前記支持部材の引き
出し方向の延長方向への移動を規制するストッパ部材を有しており、
前記規制部は、前記支持部材の移動が前記ストッパ部材により規制された状態で、前記
支持部材が前記延長方向へ移動する力を受けたとき前記ストッパ部材との当接部近傍を中
心として、前記装置本体から前記延長方向への回動を規制するものであることを特徴とす
る請求項１に記載の画像形成装置。
【請求項３】
前記第２側壁と前記第２フレームの間は、前記支持部材の移動が前記ストッパ部材によ
り規制された状態で、前記支持部材が前記延長方向へ移動する力を受けたとき、前記支持
部材が前記ストッパ部材との当接部近傍を中心として回動するのを許容する隙間を有し、
前記第２側壁は、前記状態で前記ストッパ部材と対応する位置よりも前記装置本体内方
向に延びる部分を有し、
前記規制部は、前記第２側壁の前記内方向に延びた部分の先端近傍に設けられた当接部
と、その部分が当接する前記第２フレームに設けられた被当接部とからなることを特徴と
する請求項２に記載の画像形成装置。
【請求項４】
前記支持部材が前記回動をするときのほぼ中心から前記当接部までの距離は、前記被当
接部までの距離よりも大きく、第１フレームから前記被当接部までの距離は、第１側壁か
ら前記当接部までの距離と同等かそれよりも大きいことを特徴とする請求項３に記載の画
像形成装置。
【請求項５】
前記第１側壁と前記第１フレームの間、および前記第２側壁と前記第２フレームの間は
、前記支持部材を引き出し方向に移動可能に支持する、引き出し方向に延びるガイドレー
ルおよびそのガイドレールに前記方向に移動可能に接触する接触部材を有し、
さらに、前記第１フレームは、前記支持部材を引出位置に引き出したときに前記支持部
材の引き出し方向の延長方向への移動を規制するストッパ部材を有しており、
前記ロック部材は、前記ロック位置において前記支持部材がその移動を前記ストッパ部
材により規制された状態で、前記ガイドレールと前記接触部材とをほぼ対向位置に保持し
、前記解除位置において前記ガイドレールと前記接触部材とを離隔可能にするものである
ことを特徴とする請求項１に記載の画像形成装置。
【請求項６】
前記接触部材は、前記支持部材を引出位置に引き出したときに、前記ストッパ部材と当
接可能であり、前記支持部材はその当接部分の近傍を中心として前記延長方向に回動可能
であることを特徴とする請求項５に記載の画像形成装置。
【請求項７】
前記第１フレームと前記第２フレームは、互いにほぼ水平方向に間隔をあけて対向し、
前記支持部材は、前記収納位置と前記引出位置との間でほぼ水平方向に移動可能であり
、
前記支持部材は、前記引出位置において前記ストッパ部材よりも前記装置本体内方へ延
びた部分を有しており、
前記第１フレームと前記第２フレームは、前記支持部材が前記引出位置近傍にあるとき
、前記支持部材をその重量に抗してほぼ水平に保持するように前記支持部材の延びた部分
と当接する係止突部を有していることを特徴とする請求項５に記載の画像形成装置。
【請求項８】
前記第１フレームと前記第２フレームは、それぞれ前記ガイドレールをほぼ水平方向に
延びた状態で有するとともに、前記係止突部をそのガイドレールの少なくとも前記ストッ
パ部材側の端部の上方に間隔をあけて有しており、
前記支持部材は、前記ガイドレール上に載置状態で移動可能に接触する前記接触部材を
有し、
前記係止突部と前記ストッパ部材とは、前記支持部材を前記引出位置から前記装置本体
外へ取り出すとき前記接触部材が通過できる間隔を有していることを特徴とする請求項７
に記載の画像形成装置。
【請求項９】
前記規制部は、前記支持部材の延びた部分の先端近傍に設けられた当接部と、その部分
が当接する前記第２フレームに設けられた被当接部とからなることを特徴とする請求項７
に記載の画像形成装置。
【請求項１０】
前記支持部材は、少なくとも前記第１側壁から前記ストッパ部材と対向する位置へフラ
ンジ状に延びる支持突部を有し、
前記ロック部材は、前記ロック位置において前記支持突部の前記ストッパ部材とは反対
側の面に接近して前記接触部材が前記ストッパ部材を越えて移動するのを阻止し、前記解
除位置において前記支持突部から前記接近状態よりも間隔をあけ前記接触部材が前記スト
ッパ部材を越えて前記支持部材を前記装置本体から取り外し可能とすることを特徴とする
請求項２に記載の画像形成装置。
【請求項１１】
前記支持部材が前記収納位置にあるとき、前記ロック部材を前記ロック位置から前記解
除位置への移動を禁止する禁止手段をさらに備え、
前記支持部材が前記引出位置にあるとき、前記ロック部材は前記解除位置へ移動可能に
なることを特徴とする請求項１０に記載の画像形成装置。
【請求項１２】
前記支持部材は、前記支持突部の前記ストッパ部材と反対側に前記第１側壁とほぼ平行
に立ち上がった壁を有し、
前記ロック部材は、前記支持突部と対向する前記ロック位置と、その支持突部と対向す
る位置よりも前記立ち上がった壁側に位置する前記解除位置に移動可能であり、
前記禁止手段は、前記立ち上がった壁であり、前記支持部材が前記収納位置にあるとき
、前記ロック部材が前記立ち上がった壁と対向する位置にあってその立ち上がった壁によ
り前記ロック部材が前記立ち上がった壁側へ移動するのを禁止し、
前記支持部材が前記引出位置にあるとき、前記ロック部材は、前記立ち上がった壁より
も装置本体内方の位置において、前記解除位置に移動可能であることを特徴とする請求項
１１に記載の画像形成装置。
【請求項１３】
前記ロック部材は、前記支持部材の前記引き出し方向とほぼ平行な軸線のまわりに揺動
可能であることを特徴とする請求項１２に記載の画像形成装置。
【請求項１４】
前記支持部材は、前記引出位置において前記ストッパ部材よりも前記装置本体内方へ延
びた部分を有し、
前記第１フレームと前記第２フレームは、前記支持部材が前記引出位置近傍で前記ロッ
ク部材が前記解除可能な状態にあるとき、前記支持部材をその重量に抗してほぼ水平に保
持するように前記支持部材の延びた部分と当接する係止突部を有していることを特徴とす
る請求項１０に記載の画像形成装置。
【請求項１５】
前記ロック部材は、前記装置本体の前記支持部材を引き出す開口部近傍の前記第1フレ
ームに設けられ、
前記禁止手段は、前記支持部材が前記収納位置にあるとき、前記ロック部材の前記開口
側を覆う、前記支持部材に設けられた壁であることを特徴とする請求項１０に記載の画像
形成装置。
【請求項１６】
前記支持部材の壁は、前記支持部材を前記引出位置から前記収納位置に向け移動させる
ことにより、前記解除位置にある前記ロック部材を前記ロック位置に移動させることを特
徴とする請求項１５に記載の画像形成装置。
【請求項１７】
前記第１フレームおよび前記第２フレームは、前記支持部材を引き出し方向に移動可能
に支持する、引き出し方向に延びるガイドレールを、前記第1側壁および第2側壁は、その
ガイドレールに前記方向に移動可能に接触する接触部材を有し、
前記支持部材は、少なくとも前記第1側壁から前記ストッパ部材と対向する位置へフラ
ンジ状に延びる支持突部、および前記引出位置において前記ストッパ部材よりも前記装置
本体内方へ延びた部分を有し、
前記第１フレームは、支持部材が前記引出位置近傍にあるとき、前記支持部材をその重
量に抗してほぼ水平に保持するように前記支持部材の延びた部分と当接する係止突部を有
するとともに、その係止突部を前記支持突部を挟んで前記ストッパ部材と対向する位置に
設け、
前記ストッパ部材は、前記ロック部材を兼ねるものであって、前記接触部材の移動経路
に突出して前記支持部材を引出位置に規制する突出位置と、その移動経路から退避して前
記支持部材を取り外し可能とする退避位置との間に移動可能であることを特徴とする請求
項２に記載の画像形成装置。
【請求項１８】
前記支持部材は、画像形成装置における消耗品を交換可能に収容し、前記引出位置にお
いて前記装置本体から消耗品が交換可能に露出することを特徴とする請求項１に記載の画
像形成装置。
【発明の詳細な説明】
【技術分野】
【０００１】
本発明は、装置本体から引き出されて取り外し可能な支持部材を備える画像形成装置に
関する。
【背景技術】
【０００２】
一般に、プロセスカートリッジを配列して収容する支持部材（ドロワーケース）が、装
置本体から引き出されて取り外し可能に構成された画像形成装置が知られている（例えば
、特許文献１参照）。このような構成では、支持部材を取り外すことで、用紙が詰まった
ときの処理やプロセスカートリッジの交換などを容易に行うことができる。
【０００３】
ところで、プロセスカートリッジの交換は、支持部材を装置本体から引き出した状態で
も行うことができるので、交換作業中に支持部材が抜け出て落下しないように、支持部材
または装置本体に、支持部材が抜け出ることを規制するロック部材が設けられている。従
来、このようなロック部材は、支持部材の両側に１つずつ設けられていた（例えば、特許
文献２参照）。
【先行技術文献】
【特許文献】
【０００４】
【特許文献１】特開２００９−２０４０６号公報
【特許文献２】特開２００５−３３８１８０号公報
【発明の概要】
【発明が解決しようとする課題】
【０００５】
しかしながら、支持部材の両側にロック部材があると、ロックを解除するときに、ユー
ザが支持部材を支持した状態で片側ずつ解除操作を行ったり、両側のロック部材の動作を
連動させて片側の解除操作で両側のロックが解除されるように構成したりする必要があっ
た。そのため、片側ずつロックの解除操作を行う場合には操作性が悪く、両側のロック部
材を連動させる場合には構成が複雑化してコスト上昇につながるという問題があった。
【０００６】
そこで、本発明は、簡易な構成で支持部材を引き出した位置に規制することができると
ともに、ロックの解除操作を容易に行うことができる画像形成装置を提供することを目的
とする。
【課題を解決するための手段】
【０００７】
前記した目的を達成するため、本発明の画像形成装置は、装置本体と、前記装置本体内
に収容された収容位置と前記装置本体から引き出された引出位置との間で移動可能、かつ
、引出位置からさらに引き出すことで前記装置本体から取り外し可能に構成され、引き出
し方向に沿うように延びて互いに対向する第１側壁および第２側壁を有する枠状の支持部
材と、前記装置本体内で収容位置にある前記支持部材を挟むように互いに対向して配置さ
れ、前記支持部材を収納位置と引出位置との間で移動可能に支持する、前記第１側壁と対
向する第１フレームおよび前記第２側壁と対向する第２フレームと、前記支持部材の前記
第１側壁側を引出位置に規制してロックするロック位置とロックを解除して前記支持部材
を取り外し可能とする解除位置との間で移動可能なロック部材と、前記第２側壁および前
記第２フレームに設けられ、引出位置にロックされた前記支持部材が前記第１フレーム側
に回動しようとするときに互いに当接して回動を規制する規制部とを備えたことを特徴と
する。
【０００８】
このように構成された画像形成装置によれば、支持部材が引出位置に引き出されると、
ロック部材によって引出位置に規制される。このとき、支持部材をさらに引き出そうとす
ると、支持部材がロック部材で規制された付近を中心にして第１フレーム側に回動しよう
とするが、この回動は第２側壁および第２フレームに設けられて互いに当接する規制部に
よって規制される。したがって、片側のロック部材と互いに当接する規制部という簡易な
構成で支持部材を引出位置に規制することができる。また、ロック部材は片側だけにしか
設けられていないので、ロックの解除操作を容易に行うことができる。
【発明の効果】
【０００９】
本発明の画像形成装置によれば、片側のロック部材と互いに当接する規制部により、簡
易な構成で支持部材を引出位置に規制することができるとともに、ロックの解除操作を容
易に行うことができる。
【図面の簡単な説明】
【００１０】
【図１】本発明の実施形態に係る画像形成装置の一例としてのカラープリンタの概略構成を示す図である。
【図２】フロントカバーを開いた状態のカラープリンタの正面図である。
【図３】支持ケースの斜視図である。
【図４】支持ケースを引き出した状態における図２のＸ−Ｘ断面図である。
【図５】内側から見た左フレームの斜視図（ａ）と側面図（ｂ）である。
【図６】内側から見た右フレームの斜視図（ａ）と側面図（ｂ）である。
【図７】支持ケースを引き出した状態からさらに回動した状態を示す図（ａ）と、（ａ）の拡大図（ｂ）である。
【図８】支持ケースを本体筐体から取り外す様子を説明する側面図である。
【図９】第２の実施の形態における図２のＸ−Ｘ断面図に相当する図（ａ）と、支持ケースを引き出した状態からさらに回動した状態を示す拡大図（ｂ）である。
【図１０】第３の実施の形態における図２のＸ−Ｘ断面図に相当する図（ａ）と、支持ケースを引き出した状態からさらに回動した状態を示す拡大図（ｂ）である。
【図１１】第４の実施の形態における図２のＸ−Ｘ断面図に相当する図（ａ）と、支持ケースを引き出した状態からさらに回動した状態を示す拡大図（ｂ）である。
【図１２】第６の実施の形態のカラープリンタにおけるフロントカバーを開いた状態の正面図である。
【図１３】第６の実施の形態の支持ケースの斜視図である。
【図１４】第６の実施の形態の支持ケースを引き出した状態における図２のＸ−Ｘ断面図に相当する図である。
【図１５】第６の実施の形態の左フレームを内側から見た側面図である。
【図１６】第６の実施の形態の右フレームを内側から見た側面図である。
【図１７】第６の実施の形態の支持ケースを引き出した状態からさらに回動した状態を示す図である。
【図１８】第７の実施の形態の左フレームを内側から見た側面図である。
【図１９】第８の実施の形態の支持ケースを引き出した状態における図２のＸ−Ｘ断面図に相当する図（ａ）と、左フレームを内側から見た側面図（ｂ）である。
【発明を実施するための形態】
【００１１】
次に、本発明の実施形態について、適宜図面を参照しながら詳細に説明する。なお、以
下の説明においては、まず、画像形成装置の一例としてのカラープリンタ１の概略構成を
説明した後、支持ケース１００（支持部材）とその周辺の構成について詳細に説明する。
【００１２】
また、以下の説明において、方向は、カラープリンタを使用するユーザを基準にした方
向で説明する。すなわち、図１における右側を「前」、左側を「後」とし、手前側を「左
」、奥側を「右」とする。また、図１における上下方向を「上下」とする。
【００１３】
＜カラープリンタの概略構成＞
図１に示すように、カラープリンタ１は、装置本体の一例として外枠を構成する略箱状
の本体筐体２内に、給紙ユニット３と、露光ユニット４と、４つのプロセスカートリッジ
５と、転写ユニット６と、定着ユニット７とを主に備えている。
【００１４】
本体筐体２の前面には、後述する支持ケース１００を本体筐体２外の前方へ引き出すた
めの開口２３が形成され、その開口２３を開閉可能に覆うフロントカバー２１が下端部を
中心として前後に回動可能に設けられている。
【００１５】
給紙ユニット３は、本体筐体２内の下部に設けられ、用紙Ｐを収容する給紙トレイ３１
と、用紙Ｐを搬送ベルト６３上に供給する給紙機構３２とを主に備えている。給紙トレイ
３１内の用紙Ｐは、給紙機構３２によって１枚ずつ分離されて供給される。
【００１６】
露光ユニット４は、本体筐体２内の上部に設けられ、図示しない公知のレーザ発光部、
ポリゴンミラー、レンズ、反射鏡などを備えている。レーザ発光部から出射されたレーザ
光は、ポリゴンミラーや反射鏡で反射し、レンズを通過して、各感光体ドラム５１の表面
上で高速走査される。
【００１７】
プロセスカートリッジ５は、給紙ユニット３と露光ユニット４との間で、支持ケース１
００に前後に並んで収容されており、感光体ドラム５１の他、図示しない公知の帯電器、
現像ローラ、供給ローラ、トナー収容部などを備えている。
【００１８】
転写ユニット６は、給紙ユニット３とプロセスカートリッジ５との間に設けられ、駆動
ローラ６１と、従動ローラ６２と、駆動ローラ６１および従動ローラ６２の間に張設され
た無端状の搬送ベルト６３と、搬送ベルト６３を介して感光体ドラム５１に対向配置され
た４つの転写ローラ６４とを主に備えている。
【００１９】
定着ユニット７は、プロセスカートリッジ５および転写ユニット６の後方に設けられ、
加熱ローラ７１と、加熱ローラ７１と対向配置されて加熱ローラ７１を押圧する加圧ロー
ラ７２とを備えている。
【００２０】
このように構成されたカラープリンタ１では、感光体ドラム５１の表面が、帯電器によ
り一様に帯電された後、露光ユニット４からのレーザ光によって露光されることで、感光
体ドラム５１上に静電潜像が形成される。そして、現像ローラから感光体ドラム５１上の
静電潜像にトナーが供給されることで、静電潜像が可視像化されて感光体ドラム５１上に
トナー像が形成される。
【００２１】
その後、搬送ベルト６３上に供給された用紙Ｐが、感光体ドラム５１と搬送ベルト６３
（転写ローラ６４）との間を搬送されることで、各感光体ドラム５１上のトナー像が用紙
Ｐ上に順次重ね合わせて転写される。そして、用紙Ｐが加熱ローラ７１と加圧ローラ７２
の間を搬送されることで、用紙Ｐ上に転写されたトナー像が熱定着される。トナー像が熱
定着された用紙Ｐは、排出ローラ８によって排紙トレイ２２上に排出される。
【００２２】
＜カラープリンタの詳細構成＞
図２に示すように、カラープリンタ１は、本体筐体２内に収容された支持部材の一例と
しての支持ケース１００と、本体筐体２内に設けられた左フレーム２１０（第１フレーム
）、右フレーム２２０（第２フレーム）およびロック部材２３０とをさらに備えている。
【００２３】
［左フレーム・右フレームの構成］
左フレーム２１０および右フレーム２２０は、それぞれ上下および前後方向に延びる板
状のフレームであり、互いに水平（左右）方向に間隔をあけて対向し、本体筐体２内で収
容位置にある支持ケース１００を挟むように配置されている。より詳細に、左フレーム２
１０は、支持ケース１００の左側壁１１０と対向し、右フレーム２２０は、支持ケース１
００の右側壁１２０と対向している。
【００２４】
図５および図６に示すように、左フレーム２１０および右フレーム２２０の対向面には
、左右方向内側に向けて突出し、前後方向に沿って水平に延びるガイドレール２４０と、
そのガイドレールから上方に間隔をおいた位置でガイドレールとほぼ平行に突出しかつ延
びる係止突部２５０とが設けられている。
【００２５】
ガイドレール２４０の上面は、ほぼ水平に延びるガイド面２４１を備え、ガイド面２４
１の前端に隣接してガイド面２４１よりも上方に突出したストッパ部材２４３を備えてい
る。ストッパ部材２４３の後面は、ガイド面２４１から前斜め上方に向けて延びる傾斜面
２４２となっている。また、ガイド面２４１の後端には、上方に向けて突出する当接部２
４４が形成されている。
【００２６】
本実施の形態のストッパ部材２４３は、その上面に後述する支持突部１０４が摺動可能
に載置されるものであるが、ローラ状にしてその上に支持突部１０４が載置されるもので
あってもよい。
［支持ケースの構成］
支持ケース１００は、本体筐体２内に収容された収容位置（図１参照）と、本体筐体か
ら引き出された引出位置（図５（ｂ）、図６（ｂ）参照）との間で前後に移動可能に構成
されている。さらに、支持ケース１００は、ロック部材２３０によるロックを解除した後
、引出位置からさらに前方に引き出すことで本体筐体２から取り外し可能に構成されてい
る（図８参照）。
【００２７】
図３に示すように、支持ケース１００は、平面視矩形の枠状をなす周壁部１０１と、底
壁部１０２とから上方が開口した箱状に構成され、プロセスカートリッジ５が交換可能（
着脱可能）に収容されている。底壁部１０２には、感光体ドラム５１の下部を露出させる
ための図示しない開口が形成されている。
【００２８】
周壁部１０１は、引き出し方向（前後方向）に沿うように延びて互いに対向する左側壁
１１０（第１側壁）および右側壁１２０（第２側壁）を有している。また、周壁部１０１
の前面には、支持ケース１００を引き出したり、取り外したりするときにユーザによって
把持される平面視ほぼＵ形状のハンドル１０３が設けられている。
【００２９】
左側壁１１０および右側壁１２０の上部には、左右方向外側に向けてフランジ状に突出
し、前後方向に沿って延びる支持突部１０４が設けられている。また、各支持突部１０４
の下方後寄りには、ガイドレール２４０と接触する接触部材すなわちガイドローラ１０５
（右側のみ図示）が設けられている。なお接触部材１０５は、ガイドレール上を転動する
ローラ状のものでなく、ガイドレール上を滑動する橇状のものであってもよい。
【００３０】
支持ケース１００は、前方に引かれたり、後方に押されたりすることで、ガイドローラ
１０５がガイド面２４１を転がって、収容位置と引出位置との間を前後に移動する。また
、このとき支持ケース１００の支持突部１０４は、ストッパ部材２４３の上面を摺動する
。ここで、本実施形態において、収容位置とは、ガイドローラ１０５が当接部２４４の前
面に当接して支持ケース１００が本体筐体２内に収容された位置であって、感光ドラム５
１が転写ローラ６４と対向して画像形成が可能な位置をいう。また、引出位置とは、ガイ
ドローラ１０５がストッパ部材２４３の傾斜面２４２と当接して支持ケース１００が前方
への移動を規制された位置をいう。なお、引出位置において、支持ケース１００上のプロ
セスカートリッジ５が本体筐体２の開口２３から外部に露出し、プロセスカートリッジ５
を支持ケース１００に対して着脱することができる。
【００３１】
支持ケース１００は、引出位置においてストッパ部材２４３よりも本体筐体２の内方（
換言するとガイドローラ１０５よりも後方）へ延びる内方延長部分１０６を有する。すな
わち支持ケース１００はストッパ部材２４３により前方への移動が規制された引出位置に
おいて、自身の重量により前方へ下がるように傾斜するが、内方延長部分１０６がストッ
パ部材２４３よりも本体筐体２内方へ延びていることで、内方延長部分１０６が係止突部
２５０に当接することで、支持ケース１００を重量に抗してほぼ水平に（わずか前方へ下
がるように傾斜してもよい）支持することができる。
【００３２】
なお、この内方延長部分１０６は、側壁１１０，１２０の少なくとも支持突部１０４の
みを延長して形成したものであればよい。また係止突部２５０は、少なくともガイドレー
ル２４０のストッパ部材２４３側の端部近傍にあればよい。
【００３３】
なお、係止突部２５０の前端とストッパ部材２４３との距離ＬＢは、支持ケース１００
をハンドル１０３側が高くなるように傾斜させたとき、その両者間を支持突部１０４とガ
イドローラ１０５（その両者の高さＬＣ）が抜け出ることができる大きさである。
【００３４】
［ロック部材の構成］
図５（ａ），（ｂ）に示すように、ロック部材２３０は、左フレーム２１０の内面に、
ストッパ部材２４３の上方に間隔をおいて設けられ、上部の回動軸２３１を中心として前
後に揺動可能に構成されている。より詳細には、ロック部材２３０は、回動軸２３１を中
心として前後に揺動することで、その下端を支持突部１０４の上面に対し接近あるいは離
隔させる。前者の接近した位置において、ロック部材２３０の下端とストッパ部材２４３
の上面との間隔ＬＡは、ほぼ支持突部１０４の上下方向の高さ寸法ＬＤに対応し、その間
隔を支持突部１０４のみ通過可能とし、支持突部１０４とガイドローラ１０５（その両者
の高さＬＣ）が抜け出ることのない寸法である。また、後者の離隔した位置において、ロ
ック部材２３０とストッパ部材２４３の上面との間隔ＬＥは、支持突部１０４とガイドロ
ーラ１０５（その両者の高さＬＣ）が抜け出ることができる寸法である。
【００３５】
したがって、ロック部材２３０が前者の位置（図５（ｂ）の実線参照）にあるとき、ガ
イドローラ１０５がストッパ部材２４３を越える方向に上昇するのを抑え、支持ケース１
００を引出位置に規制し本体筐体２から取り出すことができないようにしている（以下、
このロック部材２３０の位置を「ロック位置」という）。ロック部材２３０が後者の位置
（図５（ｂ）の鎖線参照）にあるとき、ガイドローラ１０５がストッパ部材２４３を越え
るのを許容し、支持ケース１００を本体筐体２外へ取り外すことが可能となる（以下、こ
のロック部材２３０の位置を「解除位置」という）。
【００３６】
［規制部の構成］
図４に示すように、右側壁１２０の内方延長部分１０６の後部には、内方延長部分１０
６の外側面から右フレーム２２０に向けて突出する当接部１２１が設けられている。また
、図４および図６に示すように、右フレーム２２０の内面には、ストッパ部材２４３より
も本体筐体２内方であって支持ケース１００が引出位置にあるときの当接部１２１よりも
本体筐体２外方の位置に、支持ケース１００の右側壁１２０に向けて突出する被当接部２
２１と、その被当接部２２１の本体筐体２内方に隣接する逃げ凹部２２２とが設けられて
いる。当接部１２１および被当接部２２１とも、後述する回動中心Ｃを中心とする円弧面
に対し交差する方向に突出している。被当接部２２１は、支持ケース１００の当接部１２
１とともに規制部（符号省略）を構成する。
【００３７】
支持ケース１００をガイドローラ１０５がストッパ部材２４３に当接した状態（引出位
置）からさらに支持ケース１００を引き出し方向の延長方向に引き出そうとすると、支持
ケース１００は、ロック部材２３０によって上昇が規制されているガイドローラ１０５と
左フレーム２１０のストッパ部材２４３との当接部近傍を中心として右側壁１２０が左側
壁１１０よりも本体筐体２前方へ出る方向（つまり図４において時計回り）に回動しよう
とする。本実施形態では、その回動を許容するように、右側壁１２０と右フレームとの間
に隙間が形成されている。また、回動中心Ｃから支持ケース１００の当接部１２１の頂部
までの距離Ｒ１（回動半径）が、回動中心Ｃから右フレーム２２０の被当接部２２１の頂
部までの距離Ｌ１よりも大きくなっている。さらに、被当接部２２１の頂部から左フレー
ム２１０の内面までの距離ＷＡ１は、当接部１２１の頂部から左側壁１１０の最外面（左
側壁１１０の内方延長部分１０６の外側面）までの距離ＷＢ１と同等がそれよりも大きく
なっている。これにより、ガイドローラ１０５とストッパ部材２４３とが当接した状態で
、支持ケース１００が上記のように回動すると、当接部１２１が被当接部２２１に当接し
、その回動を規制することができる。ロック部材２３０を解除位置にして、支持ケース１
００を前後方向にまっすぐ引き出すことで、当接部１２１と被当接部２２１とが干渉する
ことなく支持ケース１００を本体筐体２から取り外すことができる。
【００３８】
＜支持ケースの引き出し時・取り外し時の動作＞
次に、支持ケース１００を収容位置から引出位置に引き出し、さらに本体筐体２から取
り外すときの動作について説明する。
【００３９】
支持ケース１００を収容位置から引出位置に引き出すときには、ユーザは、まず、フロ
ントカバー２１を開く（図８参照）。次に、ハンドル１０３を前方に引くことで、ガイド
ローラ１０５が各フレーム２１０，２２０のガイドレール２４０（ガイド面２４１）上を
転がり、係止突部２５０がストッパ部材２４３上をすべりながら、支持ケース１００が収
容位置から前方へ移動する。
【００４０】
図５（ｂ）に示すように、支持ケース１００が引き出されてガイドローラ１０５がスト
ッパ部材２４３に当たると、支持ケース１００は、左側壁１１０（支持突部１０４）の上
面がロック位置にあるロック部材２３０の下端によって上方への移動が規制されることで
、引出位置にロックされる。この位置で、支持ケース１００の重量で内方延長部分１０６
が係止突部２５０に当接し、支持ケース１００がほぼ水平に保持されているので、支持ケ
ース１００に対してプロセスカートリッジ５を交換することができる。
【００４１】
また、この状態において、ユーザが支持ケース１００をさらに前方（引き出し方向の延
長方向）に引き出そうとすると、支持ケース１００は、左側壁１１０のみがロック部材２
３０によって引出位置にロックされた状態なので、図４に示す、左側壁１１０のガイドロ
ーラ１０５と左フレーム２１０のストッパ部材２４３との当接部近傍を回動中心Ｃとして
、右側壁１２０の前側が図示時計回り方向に回動しようとする。
【００４２】
その回動の際、右側壁のガイドローラ１０５は、ストッパ部材２４３に乗り上げるが、
前述のように支持ケース１００の当接部１２１の回動軌跡に対して右フレーム２２０の被
当接部２２１が干渉する位置にあるため、図７（ａ），（ｂ）に示すように、当接部１２
１が被当接部２２１と引き出し方向において当接して、支持ケース１００の左フレーム２
１０側への回動が規制され、支持ケース１００は引出位置から本体筐体２外に取り出すこ
とができなくなる。
【００４３】
なお、右フレーム２２０の被当接部２２１の後側には、逃げ凹部２２２が設けられてい
るため、支持ケース１００が回動する際に、がたつくなどして右側にずれても、逃げ凹部
２２２が支持ケース１００の一部である当接部１２１を受け入れ可能になっている。また
、係合突部１２１（支持ケース１００）が右フレーム２２０の内面にぶつかることで生じ
る音や傷などの発生を抑えることができる。なお、逃げ凹部２２２は、有底状の凹部でな
く、貫通孔であってもよい。
【００４４】
図８に示すように、支持ケース１００を本体筐体２から取り外すときには、ユーザは、
ロック部材２３０を解除位置に揺動させてロックを解除する。そして、支持ケース１００
をまっすぐ、すなわち、左右の側壁１１０，１２０を左右のフレーム２１０，２２０に対
してほぼ平行（図４に示す状態）にした上で、係合突部１２１と規制突部２２１とが干渉
しないように支持ケース１００を若干左側に寄せてからハンドル１０３を前斜め上方に引
く。
【００４５】
これにより、支持ケース１００をハンドル１０３側を高くした傾斜状態で、ガイドロー
ラ１０５が傾斜面２４２を転がりストッパ部材２４３を越えることで、支持ケース１００
が本体筐体２から取り外される。この状態で、搬送ベルト６３の上面が開放されるので、
搬送ベルト６３上面で紙詰まりした用紙等を取り除くことができる。
【００４６】
支持ケース１００を本体筐体２に装着する場合には、ロック部材２３０を解除位置とし
、支持ケース１００をハンドル１０３側を高くした傾斜状態で、ガイドローラ１０５をス
トッパ部材２４３を越えさせた後、支持ケース１００をほぼ水平に戻して本体筐体２内へ
押し込む。支持ケース１００をほぼ水平に戻した後の任意の時点で、ロック部材２３０を
ロック位置へ戻す。
【００４７】
以上説明した本実施の形態のカラープリンタ１によれば、片側のロック部材２３０と互
いに当接する規制部（当接部１２１および被当接部２２１）という簡易な構成で支持ケー
ス１００を引出位置に規制することができる。また、ロック部材２３０は片側（左側壁１
１０側）だけに設けられているので、ロックの構成が単純になりかつ解除操作を容易に行
うことができる。また、係合突部１２１および規制突部２２１は、右側壁１２０側にロッ
ク部材２３０を設ける場合より小さいスペースで設けることができるので、カラープリン
タ１を小型化することができる。
【００４８】
上記実施の形態において、ロック部材２３０を支持ケース１００側に設け、支持ケース
１００を引出位置に引き出したとき、そのロック部材２３０を本体筐体２外から操作可能
な位置に露出させ、ロック部材２３０を解除位置に操作できるように構成することもでき
る。
【００４９】
＜第２の実施の形態＞
第２の実施の形態は、前記実施の形態（以下、「第１の実施の形態」という）に対し規
制部の形状において相違し、他の部分については同じである。図９（ａ），（ｂ）は、そ
の規制部を示す。この実施の形態では、支持ケース１００の右側壁１２０（内方延長部１
０６の外側面）の後部に、回動中心Ｃを中心とする円弧面にほぼ沿って右フレーム２２０
から遠ざかる方向に凹む係合凹部１２３が設けられ、この係合凹部１２３の後側の壁１２
３Ａが前記円弧面と交差する方向に立ち上がって当接部となっている。被当接部２２１の
形状は、第１の実施の形態と同じである。
【００５０】
また、回動中心Ｃから当接部１２３Ａの頂部までの距離Ｒ２（回動半径）は、回動中心
Ｃから被当接部２２１の頂部までの距離Ｌ１より大きくなっている。したがって、支持ケ
ース１００が回動中心Ｃを中心に回動しようとすると、当接部１２３Ａが被当接部２２１
と引き出し方向において当接して支持ケース１００の回動を規制する。
【００５１】
さらに、第１の実施の形態と同様に、被当接部２２１の頂部から左フレーム２１０の内
面までの距離ＷＡ１は、当接部１２３Ａの頂部（右側壁１２０の内方延長部１０６の外側
面）から左側壁１１０の外面（左側壁１１０の内方延長部１０６の外側面）までの距離Ｗ
Ｂ２よりも大きくなっている。これにより、ロック部材２３０を解除位置に移動して、支
持ケース１００を左右のフレーム２１０，２２０に対してほぼ平行に引き出すことで、支
持ケース１００を本体筐体２から取り外すことができる。
【００５２】
＜第３の実施の形態＞
第３の実施の形態も、第１の実施の形態に対し規制部の形状において相違し、他の部分
については同じである。図１０（ａ），（ｂ）は、その規制部を示す。この実施の形態で
は、右フレーム２２０の内面に、回動中心Ｃを中心とする円弧面にほぼ沿って右側壁１２
０から遠ざかる方向に凹む規制凹部２２３が設けられている。この規制凹部２２３の前側
の壁２２３Ａが前記円弧面と交差する方向に立ち上がって被当接部となっている。当接部
１２１の形状は、第１の実施の形態と同じである。
【００５３】
また、回動中心Ｃから当接部１２１の頂部までの距離Ｒ１（回動半径）は、回動中心Ｃ
から被当接部２２３Ａの側壁１２０側の端部までの距離Ｌ２より大きくなっている。した
がって、支持ケース１００が回動中心Ｃを中心に回動しようとすると、当接部１２１が被
当接部２２３Ａが引き出し方向において当接して支持ケース１００の回動を規制する。  
さらに、第１の実施の形態と同様に、左フレーム２１０の内面から被当接部２２３Ａの前
記端部（右フレーム２２０の内面）までの距離ＷＡ２は、当接部１２１の頂部から左側壁
１１０の外面（左側壁１１０の内方延長部１０６の外側面）までの距離ＷＢ１よりも大き
くなっている。これにより、ロック部材２３０を解除位置に移動して、支持ケース１００
を左右のフレーム２１０，２２０に対してほぼ平行に引き出すことで、支持ケース１００
を本体筐体２から取り外すことができる。
【００５４】
＜第４の実施の形態＞
第４の実施の形態も、第１の実施の形態に対し規制部の形状において相違し、他の部分
については同じである。図１１（ａ），（ｂ）は、その規制部を示す。この実施の形態で
は、支持ケース１００の右側壁１２０（内方延長部１０６の外側面）の後部に、回動中心
Ｃを中心とする円弧面にほぼ沿って右フレーム２２０から遠ざかる方向に凹む係合凹部１
２３が設けられ、この係合凹部１２３の後側の壁１２３Ａが前記円弧面と交差する方向に
立ち上がって当接部となっている。右フレーム２２０の内面に、回動中心Ｃを中心とする
円弧面にほぼ沿って右側壁１２０から遠ざかる方向に凹む規制凹部２２３が設けられ、こ
の規制凹部２２３の前側の壁２２３Ａが前記円弧面と交差する方向に立ち上がって被当接
部となっている。
【００５５】
そして、回動中心Ｃから当接部１２３Ａの頂部までの距離Ｒ２（回動半径）は、回動中
心Ｃから被当接部２２３Ａの側壁１２０側端部までの距離Ｌ２より大きくなっている。し
たがって、支持ケース１００が回動しようとすると、回動中心Ｃを中心に当接部１２３Ａ
が被当接部２２３Ａと引き出し方向において当接して支持ケース１００の回動を規制する
。
【００５６】
さらに、第１の実施の形態と同様に、左フレーム２１０の内面から被当接部２２３Ａの
前記端部（右フレーム２２０の内面）までの距離ＷＡ２は、当接部１２３Ａの頂部（右側
壁１２０の内方延長部１０６の外側面）から左側壁１１０の外面（左側壁１１０の内方延
長部１０６の外側面）までの距離ＷＢ２よりも大きくなっている。これにより、ロック部
材２３０を解除位置に移動して、支持ケース１００を左右のフレーム２１０，２２０に対
してほぼ平行に引き出すことで、支持ケース１００を本体筐体２から取り外すことができ
る。
【００５７】
＜第５の実施の形態＞
前記各実施の形態の規制部のように右フレーム２２０の内面あるいは支持突部１０４の
外側面に対して角度を持った当接部、被当接部を形成するのではなく、支持突部１０４（
内方延長部分１０６）の後端部を当接部とし、右フレーム２２０の内面を被当接部として
、内方延長部分１０６の後端部の角を右フレーム２２０の内面の平面に当接させるように
構成することもできる。その他、支持ケース１００（支持部材）が回動しようとするとき
に互いに当接可能であればよい。
【００５８】
＜第６の実施の形態＞
図１２から図１７は、支持ケース、ロック部材、ストッパ部材などを、第１の実施の形
態とは異にした第６の実施の形態を示す。第１の実施の形態と共通する部分は、同じ符号
を付し、説明を省略する。
【００５９】
第６の実施の形態において、フレーム２１０，２２０の内面に設けたストッパ部材２４
５は、円柱状のピンによって構成されている。詳細には、円柱状の頭部を有する雄ねじを
フレーム２１０，２２０にねじ込むことで、その頭部をストッパ部材２４５としている。
さらに、左フレーム２１０の雄ねじは、後述するロック部材２３０Ａを支持する支持板２
３２を左フレーム２１０に取り付けるための手段を兼ねる。ストッパ部材２４５と係止突
部２５０との間隔は、第１の実施の形態と同様である。
【００６０】
ロック部材２３０Ａは、支持板２３２に、支持ケース１００Ａの引き出し方向とほぼ平
行な軸２３３のまわりにフレーム２１０に対し接近離隔する方向に揺動可能に支持され、
支持ケース１００Ａに近接する側にロック作用部２３４、軸２３３を挟んでロック作用部
２３４と反対側に操作部２３５を有している。操作部２３５を本体筐体２の開口２３側か
ら操作することで、ロック作用部２３４は、後述するロック位置と解除位置とに支持突部
１０４に対し接近離隔する方向に移動することができる。ロック位置および解除位置にお
けるロック作用部２３４とストッパ部材２４５との間隔は、第１の実施の形態と同様であ
る。なお、この実施の形態では、露光ユニット４の前方はカバー２６０によって覆われて
おり、操作部２３５は、このカバー２６０の前面に露出している。
【００６１】
支持ケース１００Ａは、支持突部１０４の上面に、側壁１１０，１２０のほぼ延長方向
に立ち上がる壁１０７を有している。立上壁１０７は、支持突部１０４の外側面よりも内
側に位置して支持突部１０４の上面に対しL字をなして立ち上がり、支持ケース１００Ａ
の引出方向に長く延びている。立上壁１０７の長さは、支持ケース１００Ａが収納位置に
あるとき、その前端がロック部材２３０Ａと対向する位置にあり、図１５に示すように、
支持ケース１００Ａが引出位置にあるとき、その後端がロック部材２３０Ａよりも前に位
置するように設定されている。
【００６２】
また、支持ケース１００Ａは、周壁部１０１の後壁上に、ユーザによって把持されるハ
ンドル１０３Ａを有している。内方延長部分１０６は、そのハンドル１０３Ａよりも後方
へ延び、右の内方延長部分１０６の後端部の外側面に、当接部１２１を突出して有してい
る。内方延長部分１０６は、支持突部１０４よりも下方に突出して形成され、下端をガイ
ドローラ１０５の下端よりもわずか上に位置させている。これにより、取り外された支持
ケース１００Ａを本体筐体２に装着するとき、内方延長部分１０６をストッパ部材２４５
に載せることで１０５がストッパ部材２４５を越えやすくしている。
【００６３】
支持ケース１００Ａが収納位置にあるとき、図１２に示すように、ロック部材２３０Ａ
のロック作用部２３４は、左フレーム２１０（支持板２３２）の内面と支持ケース１００
Ａの立上壁１０７との間に位置し、ロック作用部２３４の下端は、支持突部１０４の上面
と対向している（つまりロック位置にある）。これにより、支持突部１０４は、ロック作
用部２３４により上昇を規制され、その結果、支持ケース１００Ａが引出位置（図１４に
示す）に引き出されてガイドローラ１０５がストッパ部材２４５に当接しても、この状態
が維持される。
【００６４】
ロック作用部２３４は、支持ケース１００Ａが収納位置から引出位置に達する直前まで
、左フレーム２１０と立上壁１０７との間に位置しているので、支持突部１０４の上面と
対向しない位置（解除位置）へ移動することはない。つまり、立上壁１０７は、ロック部
材２３０Ａがロック位置から解除位置へ移動するのを禁止する禁止手段として機能する。
【００６５】
第１の実施の形態では、支持ケース１００を引き出す際にロック部材が解除位置にある
と、支持ケース１００がストッパ部材と当接しても強く引くことで、停止することなく抜
け出て落下してしまう可能性があるが、この実施の形態では、ロック部材２３０Ａがロッ
ク位置に維持されるから、そのようなことを防止することができる。
【００６６】
引出位置から、さらに支持ケース１００Ａに引き出す方向の力を与えると、第１の実施
の形態と同様に、図１７に示すように、左側のガイドローラ１０５とストッパ部材２４５
との当接部を回動中心として支持ケース１００Ａが内方延長部分１０６を右フレーム２２
０に近づける方向に回動し、当接部１２１が右フレーム２２０の被当接部２２１に当接す
る。その結果、第１の実施例と同様に支持ケース１００Ａを取り外すことができない。
【００６７】
支持ケース１００が引出位置へ移動すると、図１５に示すように、立上壁１０７がロッ
ク部材２３０Ａよりも前方に位置する。つまり、ロック部材２３０Ａは、立上壁１０７に
当接することなく揺動できるようになり、ロック作用部２３４を図１２に鎖線で示すよう
に、ロック作用部２３４の下端が支持突部１０４の上面から離れる位置（つまり解除位置
）に移動させることができる。この状態で、引出位置にある支持ケース１００を本体筐体
２から取り外すには、前後のハンドル１０３，１０３Ａをもって、第１の実施の形態と同
様に、支持ケース１００Ａを前側を高くした傾斜状態で、ガイドローラ１０５をストッパ
部材２４３を越えさせればよい。
【００６８】
取り外された支持ケース１００Ａを本体筐体２に装着するためには、ロック部材２３０
Ａを解除位置にして、支持ケース１００Ａを前側を高くした傾斜状態で、内方延長部分１
０６をストッパ部材２４５に載せガイドローラ１０５がストッパ部材２４５を越えるまで
押し込む。その後、支持ケース１００Ａをほぼ水平に戻し、ロック部材２３０Ａをロック
位置に操作して、さらに支持ケース１００Ａを本体筐体２内に押し込む。
【００６９】
＜第７の実施の形態＞
図１８は、第７の実施の形態を示す。第１又は第２の実施の形態と共通する部分は、同
じ符号を付し、説明を省略する。
【００７０】
第７の実施の形態において、ロック部材２３０Ｂは、第１の実施の形態と同様に、本体
筐体２の開口２３近傍の左フレーム２１０に、水平な軸２３１の回りに前後方向に揺動可
能に設けられている。支持ケース１００Ｂは、ロック部材２３０Ｂの開口２３側を覆うよ
うに、周壁部１０１の前壁から左方向および上方向に延びる壁１０８を有する。支持ケー
ス１００Ｂが収納位置にあるとき、その壁１０８は、ロック部材２３０Ｂの開口２３側を
覆い、ユーザが、ロック位置にあるロック部材２３０Ｂを解除位置に操作するのを禁止す
る禁止手段として機能する。
【００７１】
つまり、仮に、支持ケース１００Ｂが収納位置にあるときに、ユーザが、ロック位置に
あるロック部材２３０Ｂを解除位置に操作した後、支持ケース１００Ｂを引き出してしま
うと、支持ケース１００Ｂがストッパ部材と当接しても強く引くことで、で停止すること
なく抜け出て落下してしまう可能性があるが、この実施の形態では、支持ケース１００Ｂ
が収納位置にある状態ではロック部材２３０Ａを解除位置に操作できないから、そのよう
なことを防止することができる。
【００７２】
さらに好ましくは、ロック部材２３０Ｂが解除位置にあるとき、壁１０８の移動軌跡内
に侵入しているようにしておくことで、支持ケース１００Ｂが引出位置から収納位置に近
づくとき、解除位置にあるロック部材２３０Ｂを壁１０８で押してロック位置に移動させ
ることができる。
【００７３】
＜第８の実施の形態＞
図１９は、第８の実施の形態を示す。第１又は第２の実施の形態と共通する部分は、同
じ符号を付し、説明を省略する。
【００７４】
第８の実施の形態において、ストッパ部材２４６は、ガイドレール２４０を移動するガ
イドローラ１０５の移動経路に対して突出・退避可能に設けられている。詳細には、図１
９(a)に示すように、ストッパ部材２４６は、左フレーム２１０に左右移動可能に支持さ
れ、左フレーム２１０の前面に露出させた端部を操作することで、他端部をガイドレール
２４０の前端部近傍の上方位置に突出・退避可能としている。
【００７５】
係止突部２５０は、前記各実施の形態と同様に支持ケース１００Ａが引出位置にあると
き内方延長部分１０６と当接して支持ケース１００Ａをほぼ水平に保持するものであり、
さらに図１９ｂに示すように、突出位置にあるストッパ部材２４６の上方に対応するまで
延びている。係止突部２５０と突出位置にあるストッパ部材２４６との間隔は、支持突部
１０４を通過させることができるが、支持突部１０４とガイドローラ１０５とを通過させ
ることができない大きさである。
【００７６】
したがって、ストッパ部材２４６がガイドローラ１０５の移動経路に対して突出した位
置にあるとき、支持ケース１００Ａは、引出位置へ引き出したとき、ガイドローラ１０５
がストッパ部材２４６に当接し、かつ係止突部２５０により上昇を阻止されているので、
引出位置で停止する。この状態で、支持ケース１００Ａをさらに引出方向に引こうとする
と、支持ケース１００Ａはガイドローラ１０５とストッパ部材２４６との当接部を中心と
して回動して当接部１２１が被当接部２２１と当接し、引き出すことができない。
【００７７】
ストッパ部材２４６をガイドローラ１０５の移動経路から退避させると、ガイドローラ
１０５の前方への移動を妨げるものがなくなるので、支持ケース１００Ａを前方へ引くこ
とで本体筐体２から取り外すことができる。
【００７８】
つまり、この実施の形態では、ストッパ部材２４６は、ロック部材を兼ねるものであり
、突出位置がロック部材のロック位置、また退避位置がロック部材の解除位置にそれぞれ
対応する。
【００７９】
なお、ストッパ部材２４６は、規制部（当接部１２１と被当接部２２１）がある側のフ
レーム２２０には省略して、少なくともそれと反対側のフレーム側にあればよい。他の実
施の形態においても同様に、ストッパ部材を一方のフレーム側にのみ設けるようにしても
よい。
【００８０】
以上、本発明の実施の形態について説明したが、本発明は前記各実施の形態に限定され
るものではない。以下のように、本発明の趣旨を逸脱しない範囲で適宜変更が可能である
。
【００８１】
前記各実施の形態において、ロック部材２３０をフレーム２１０（第１フレーム）側に
設ける場合、本体筐体（装置本体）の側壁の第１フレーム側など、任意の固定フレームに
に設けてもよい。また、ロック部材は、直線方向に進退自在（たとえば、突出・没入可能
とし、突出しているときをロック位置、没入したときを解除位置とする構成）としてもよ
い。支持部材は、底壁部を有しない枠状の支持ケース１００に構成してもよい。
【００８２】
左フレーム２１０（第１フレーム）および右フレーム２２０（第２フレーム）は、本体
筐体（装置本体）の一部として本体筐体（装置本体）の側壁を構成していてもよい。また
、ロック部材および規制部の位置は実施の形態に対し左右逆であってもよい。
【００８３】
支持突部１０４にガイドレールとしての機能を持たせ、それに摺動可能に接触するスト
ッパ部材にガイドローラ（接触部材）の機能を持たせることができる。あるいは、支持突
部１０４とガイドレール２４０の双方がガイドレールの機能、ストッパ部材２４３とガイ
ドローラ１０５（接触部材）の双方がそれぞれストッパ部材と接触部材の機能を果たすよ
うに構成することもできる。
【００８４】
本発明は、レーザ露光式のカラープリンタだけでなく、ＬＥＤからの光によって露光さ
れる方式、インクジェット方式、感熱方式など各種の画像形成装置、あるいは複写機や複
合機などの画像形成部に適用することができる。また、支持部材は、静電方式のプロセス
カートリッジ全体を着脱可能に支持するだけでなく、感光ドラムを支持部材側に残しトナ
ーボックスのみ、インクジェット方式ではインクカートリッジ、あるいは、他の消耗品た
とば用紙、搬送ベルトを含む転写ユニットを着脱可能に支持するものであってもよい。
【符号の説明】
【００８５】
１      カラープリンタ
２      本体筐体（装置本体）
１００，１００Ａ，１００Ｂ  支持ケース（支持部材）
１０４  支持突部
１０５  ガイドローラ（接触部材）
１０６  内方延長部分
１０７  立上壁
１１０  左側壁
１２０  右側壁
１２１  当接部
２１０  左フレーム
２２０  右フレーム
２２１  被当接部
２３０，２３０Ａ，２３０Ｂ  ロック部材
２４０  ガイドレール
２４３，２４５  ストッパ部材
２５０  係止突部
【図１】
2010277073.tif 000003
【図２】
2010277073.tif 000004
【図３】
2010277073.tif 000005
【図４】
2010277073.tif 000006
【図５】
2010277073.tif 000007
【図６】
2010277073.tif 000008
【図７】
2010277073.tif 000009
【図８】
2010277073.tif 000010
【図９】
2010277073.tif 000011
【図１０】
2010277073.tif 000012
【図１１】
2010277073.tif 000013
【図１２】
2010277073.tif 000014
【図１３】
2010277073.tif 000015
【図１４】
2010277073.tif 000016
【図１５】
2010277073.tif 000017
【図１６】
2010277073.tif 000018
【図１７】
2010277073.tif 000019
【図１８】
2010277073.tif 000020
【図１９】
2010277073.tif 000021